(57)【特許請求の範囲】
【請求項１】
第一カバー及び第二カバーを備えた画像形成装置であって、
前記第一カバーの開閉に応じてオンオフされ、オン時には負荷に対して電力が供給される電源ラインと電源電圧とを接続すると共に、オフには前記電源ラインと前記電源電圧よりも低く前記負荷が動作しない検出電圧とを接続する第一インターロックスイッチと、
前記第二カバーの開閉に応じて、前記第一インターロックスイッチと前記負荷との間の前記電源ラインをオンオフする第二インターロックスイッチと、
前記第一インターロックスイッチと前記第二インターロックスイッチとの間の前記電源ラインの電圧と設定された閾値とを比較する第一比較手段と、
前記第二インターロックスイッチと前記負荷との間の前記電源ラインの電圧と設定された前記閾値とを比較する第二比較手段と、
前記第一比較手段及び前記第二比較手段でそれぞれ用いられる前記閾値をそれぞれ設定する閾値設定手段と、
前記第一比較手段及び前記第二比較手段の比較結果に応じて前記第一カバー及び前記第二カバーのそれぞれの開閉を検出するカバー開閉検出手段とを具備し、
前記閾値設定手段は、前記第一比較手段で用いられる前記閾値を、通常モード時には前記検出電圧と前記電源電圧との間の第一閾値に、スリープモード時には０Ｖと前記検出電圧との間の第二閾値にそれぞれ設定すると共に、前記第二比較手段で用いられる前記閾値を、ジャム非検出時には前記第二閾値に、ジャム検出時には、０Ｖと前記電源電圧の間で、且つジャム処理時に前記負荷で発生が懸念される起電力の電圧よりも高い第三閾値にそれぞれ設定することを特徴とすることを特微とする画像形成装置。
【請求項２】
ジャム検出時に前記第一カバーを閉状態にロックする第一カバーロック手段を具備することを特徴とする請求項１記載の画像形成装置。
【発明の詳細な説明】
【技術分野】
【０００１】
本発明は、装置内部のメンテナンスのためのカバーを有する画像形成装置に関し、特にカバーの開閉を検出するインターロックスイッチを有する画像形成装置に関する。
【背景技術】
【０００２】
プリンター、複写機等の画像形成装置において、装置内部のメンテナンス（トナーの補充や紙詰まり解消）のためのカバーには、電源ラインに直列に接続されているインターロックスイッチが設けられており、安全確保のために、カバーが開いている場合に、画像形成動作が行われないように制御されるのが一般的である（例えば、特許文献１参照）。
【０００３】
特許文献１では、出力制御部と駆動部の間に設けられたインターロックスイッチが、カバーが閉状態では出力制御部と駆動部とを接続すると共に、カバーが開状態ではカバー開閉検知回路と駆動部とを接続するように構成されている。また、スリープモード時において駆動部へ供給する電源が停止してもカバー開閉検知を行えるように、スリープモード時には、カバー開閉検知回路に駆動部へ供給する電源以外の微小な電源を使用する構成となっている。
【先行技術文献】
【特許文献】
【０００４】
【特許文献１】特開２００４−１４８７２４号公報
【発明の概要】
【発明が解決しようとする課題】
【０００５】
しかしながら、特許文献１の技術では、２個のカバーを有し、２個のカバーのそれぞれに、電源ラインに直列に接続されている２個のインターロックスイッチが設けられている場合、２個のインターロックスイッチの内の下流側のインターロックスイッチがオフされていると、上流側のインターロックスイッチのオンオフを検出することができず、カバーの開閉検知を行うことができないという問題点があった。
【０００６】
本発明は、かかる点に鑑みてなされたものであり、その目的とするところは、電源ラインに直列に接続されている２個のインターロックスイッチのそれぞれのオンオフを誤りなく確実に検出することができる画像形成装置を提供することにある。
【課題を解決するための手段】
【０００７】
このような課題を解決するために、本発明の画像形成装置は、第一カバー及び第二カバーを備えた画像形成装置であって、前記第一カバーの開閉に応じてオンオフされ、オン時には負荷に対して電力が供給される電源ラインと電源電圧とを接続すると共に、オフには前記電源ラインと前記電源電圧よりも低く前記負荷が動作しない検出電圧とを接続する第一インターロックスイッチと、前記第二カバーの開閉に応じて、前記第一インターロックスイッチと前記負荷との間の前記電源ラインをオンオフする第二インターロックスイッチと、前記第一インターロックスイッチと前記第二インターロックスイッチとの間の前記電源ラインの電圧と設定された閾値とを比較する第一比較手段と、前記第二インターロックスイッチと前記負荷との間の前記電源ラインの電圧と設定された前記閾値とを比較する第二比較手段と、前記第一比較手段及び前記第二比較手段でそれぞれ用いられる前記閾値をそれぞれ設定する閾値設定手段と、前記第一比較手段及び前記第二比較手段の比較結果に応じて前記第一カバー及び前記第二カバーのそれぞれの開閉を検出するカバー開閉検出手段とを具備し、前記閾値設定手段は、前記第一比較手段で用いられる前記閾値を、通常モード時には前記検出電圧と前記電源電圧との間の第一閾値に、スリープモード時には０Ｖと前記検出電圧との間の第二閾値にそれぞれ設定すると共に、前記第二比較手段で用いられる前記閾値を、ジャム非検出時には前記第二閾値に、ジャム検出時には、０Ｖと前記電源電圧の間で、且つジャム処理時に前記負荷で発生が懸念される起電力の電圧よりも高い第三閾値にそれぞれ設定することを特徴とする。
さらに、本発明の画像形成装置において、ジャム検出時に前記第一カバーを閉状態にロックする第一カバーロック手段を具備するようにしても良い。
【発明の効果】
【０００８】
本発明によれば、電源ラインに直列に接続されている２個のインターロックスイッチのそれぞれのオンオフを誤りなく確実に検出することができ、第一カバー及び第二カバーのそれぞれの開閉を誤りなく確実にすることができるという効果を奏する。
【図面の簡単な説明】
【０００９】
【図１】本発明に係る画像形成装置の実施の形態の内部構成を示す概略模式断面図である。
【図２】図１に示す画像形成装置の第一カバーが開いている状態を示す外観斜視図である。
【図３】図１に示す画像形成装置の第二カバーが開いている状態を示す外観斜視図である。
【図４】図１に示す画像形成装置の概略構成を示すブロック図である。
【図５】図１に示す画像形成装置におけるカバー開閉検出手段の構成を示すブロック図である。
【図６】図３に示す制御部による判断結果を示す表である。
【発明を実施するための形態】
【００１０】
次に、本発明の実施の形態を、図面を参照して具体的に説明する。
本実施の形態の画像形成装置は、図１を参照すると、異なる４色Ｃ（シアン）、Ｍ（マゼンダ）、Ｙ（イエロー）、Ｋ（ブラック）のカラー画像データにそれぞれ対応する４つの画像形成部１０ａ、１０ｂ、１０ｃ及び１０ｄが配設されたカラープリンター１である。中間転写ベルト２０が４つの画像形成部１０ａ、１０ｂ、１０ｃ及び１０ｄの上部に隣接して設けられている。
【００１１】
図２を参照すると、カラープリンター１の上面には、第一カバー４０が設けられており、第一カバー４０を開くことで、中間転写ベルト２０の上部が開放され、トナーコンテナ５０ａ、５０ｂ、５０ｃ及び５０ｄが着脱可能な状態となる。トナーコンテナ５０ａ、５０ｂ、５０ｃ及び５０ｄには、４つの画像形成部１０ａ、１０ｂ、１０ｃ及び１０ｄにそれぞれ供給される４色Ｃ（シアン）、Ｍ（マゼンダ）、Ｙ（イエロー）、Ｋ（ブラック）のトナーが収容されている。なお、図２に示されている符号３は、カラープリンター１の状態が表示される液晶ディスプレイ等の表示部であり、符号４は、ユーザーからの各種指示を受け付ける操作部である。また、第一カバー４０には、図１に示すように、第一カバー４０の開閉によってオンオフされる第一インターロックスイッチ８０と、第一カバー４０を閉じた状態でロックする第一カバーロック部８１とが設けられている。第一インターロックスイッチ８０は、第一カバー４０が開いた状態でオフされ、カラープリンター１の各構成要素に供給される電源電圧を遮断するように構成されている。また、第一カバーロック部８１としては、例えば、ロッド８１ａを進退させるリニアアクチュエーターを用いることができる。この場合には、ロッド８１ａを前進させ、第一カバー４０に設けられた開口４０ａ（図２参照）に挿入させることで、第一カバー４０がロックされる。
【００１２】
４つの画像形成部１０ａ、１０ｂ、１０ｃ及び１０ｄには、各色の可視像（トナー像）を担持する感光体ドラム１１ａ、１１ｂ、１１ｃ及び１１ｄがそれぞれ配設されている。感光体ドラム１１ａ、１１ｂ、１１ｃ及び１１ｄの周囲には、感光体ドラム１１ａ、１１ｂ、１１ｃ及び１１ｄをそれぞれ帯電させる帯電装置１２ａ、１２ｂ、１２ｃ及び１２ｄと、感光体ドラム１１ａ、１１ｂ、１１ｃ及び１１ｄにそれぞれ画像情報を露光する露光ユニット１３と、感光体ドラム１１ａ、１１ｂ、１１ｃ及び１１ｄ上にそれぞれトナー像を形成する現像装置１４ａ、１４ｂ、１４ｃ及び１４ｄと、感光体ドラム１１ａ、１１ｂ、１１ｃ及び１１ｄ上のトナー像をそれぞれ中間転写ベルト２０に転写させる一次転写ローラー１５ａ、１５ｂ、１５ｃ及び１５ｄと、感光体ドラム１１ａ、１１ｂ、１１ｃ及び１１ｄ上に残留した現像剤（トナー）を除去するクリーニング装置１６ａ、１６ｂ、１６ｃ及び１６ｄとが設けられている。
【００１３】
感光体ドラム１１ａ、１１ｂ、１１ｃ及び１１ｄ上に形成されたトナー像は、感光体ドラム１１ａ、１１ｂ、１１ｃ及び１１ｄに当接しながら移動する中間転写ベルト２０上に順次転写される。中間転写ベルト２０上に順次転写されたトナー像は、二次転写ローラー１７において記録紙Ｐ上に一度に転写される。記録紙Ｐは、下部に配置された用紙カセット３０内に収容されており、給紙ローラー３１及びレジストローラー３２を介して二次転写ローラー１７へと記録紙搬送路３３を搬送される。記録紙Ｐ上に転写されたトナー像は、定着装置１８において記録紙Ｐに定着され、印刷が施された記録紙Ｐは、記録紙搬送路３３を通って排出ローラー３４によって第一カバー４０上に排出される。
【００１４】
図３を参照すると、記録紙搬送路３３が配設されている側面には、第二カバー４１が設けられており、第二カバー４１を開くことで、記録紙搬送路３３が開放されるように構成されている。これにより、記録紙搬送路３３内での記録紙Ｐの紙詰まりを解消することができる。また、第二カバー４１には、図１に示すように、第二カバー４１の開閉によってオンオフされる第二インターロックスイッチ８２が設けられている。第二インターロックスイッチ８２は、第二カバー４１が開いた状態でオフされ、カラープリンター１の各構成要素に供給される電源電圧を遮断するように構成されている。
【００１５】
図４には、カラープリンター１の概略構成を示すブロック図が示されている。カラープリンター１内には、通信部６０と、記憶部７０と、ジャム検出部７１とに接続された制御部３が備えられている。制御部３は、ＣＰＵ（Central Processing Unit）、ＲＯＭ（Read Only Memory）、ＲＡＭ（Random Access Memory）等を備えたマイクロコンピューター等の情報処理部である。ＲＯＭには画像形成装置の動作制御を行うための制御プログラムが記憶されている。制御部３は、ＲＯＭに記憶されている制御プログラムを読み出し、制御プログラムをＲＡＭに展開させることで、操作部４から入力された所定の指示情報や、通信部６０によって受信された印刷ジョブに応じて 各構成要素（画像形成部１０ａ、１０ｂ、１０ｃ及び１０ｄ、露光ユニット１３、定着装置１８、中間転写ベルト２０等）を制御して一連の画像形成動作を実現する。また、制御部３は、操作部４からのユーザーの指示入力や、画像形成動作の開始指示がなく所定時間を経過した場合には、消費電力を削減させる電源制御として、通常モードからスリープモードに移行させる。スリープモードでは、制御部３は、図示しない電源回路を制御し、画像形成動作を実現する各構成要素に供給する電源電圧をオフさせ、制御部３のＣＰＵ等の一部の待機用の構成要素に電源電圧よりも十分低い電圧を供給させる。
【００１６】
通信部６０は、ＬＡＮ等のネットワーク６１を介して、パーソナルコンピュータ等の周辺機器６２との間で各種データを送受信する機能を有し、カラー画像データ等の画像形成に用いられる印刷データを含む印刷ジョブを周辺機器６２から受信する。
【００１７】
記憶部７０は、半導体メモリやＨＤＤ（Hard Disk Drive）等の記憶手段であり、通信部６０によって受信したカラー画像データ等の印刷データが蓄積される記憶手段である。
【００１８】
ジャム検出部７１は、記録紙搬送路３３を搬送される記録紙Ｐを検出する記録紙検出センサーを有し、当該記録紙検出センサーによって記録紙Ｐが所定の時間以上検出されたり、所定のタイミングで記録紙Ｐが検出されなかったりした場合に、記録紙Ｐのジャム（紙詰まり）を検出し、ジャム検出信号を制御部３に通知する。
【００１９】
また、制御部３には、第一カバーロック部８１が接続されている。制御部３は、ジャム検出部７１からジャム検出信号が通知されると、第一カバーロック部８１によって第一カバー４０を閉状態にロックさせる。なお、第一カバーロック部８１による第一カバー４０のロックは、記録紙Ｐのジャムが解消されるまで維持させるようにしても良く、操作部４によって解除可能に構成しても良い。
【００２０】
さらに、制御部３には、電源ラインの電圧を比較する第一比較部８３及び第二比較部８４と、閾値設定部８５とが接続されている。制御部３は、第一比較部及び第二比較部８４からの出力に応じて、第一カバー４０及び第二カバー４１の開閉を検出するカバー開閉検出手段として機能し、必要に応じて検出結果を表示部２に表示させてユーザーに報知する。
【００２１】
閾値設定部８５は、制御部３からの指示に基づいて、第一比較部８３及び第二比較部８４において、電源ラインの電圧と比較する閾値を設定する閾値設定手段であり、第一比較部８３での閾値を通常モード時とスリープモード時とで切り換えると共に、第二比較部８４での閾値をジャム非検出時とジャム検出時とで切り換える。
【００２２】
図５を参照すると、第一インターロックスイッチ８０と第二インターロックスイッチ８２とが電源電圧から各部の負荷（モーターやヒーター等）９０に電力を供給する電源ラインに直列に接続されている。これにより、第一カバー４０と第二カバー４１との両方もしくはいずれかが開いている場合には、第一インターロックスイッチ８０と第二インターロックスイッチ８２との少なくともいずれかがオフになり、電源電圧の各部の負荷９０への供給が遮断され、第一カバー４０と第二カバー４１との両方共が閉じている場合には、第一インターロックスイッチ８０と第二インターロックスイッチ８２とのいずれもがオンになり、電源電圧が各部の負荷９０に供給される。
【００２３】
第一インターロックスイッチ８０は、第二インターロックスイッチ８２よりも上流側に配置された１回路２接点スイッチであり、第一カバー４０が閉じているオン時に接続される接点には電源電圧が、第一カバー４０が開いているオフ時に接続される接点には逆流防止ダイオードを介して検出電圧がそれぞれ接続されている。これにより、第一カバー４０が閉じている場合には、電源ラインに電源電圧が、第一カバー４０が開いている場合には、電源ラインに検出電圧がそれぞれ供給されることになる。なお、検出電圧は、電源電圧よりも十分に低く、負荷９０が動作しない電圧であり、例えば、スリープ時に制御部３のＣＰＵに供給される電圧が用いられる。本実施の形態では、電源電圧として２４Ｖが、検出電圧として３．３Ｖが供給されるものとする。
【００２４】
第一比較部８３は、第一インターロックスイッチ８０と第二インターロックスイッチ８２との間の電源ライン（以下、スイッチ−スイッチ間電源ラインと称す）の電圧Ｖａと、閾値設定部８５によって設定された閾値とを比較し、比較結果を制御部３に出力する。
また、第二比較部８４は、第二インターロックスイッチ８２と負荷９０の間の電源ライン（以下、スイッチ−負荷間電源ラインと称す）の電圧Ｖｂと、閾値設定部８５によって設定された閾値とを比較し、比較結果を制御部３に出力する。
【００２５】
図５を参照すると、第一比較部８３は、スイッチ−スイッチ間電源ラインと接地端子との間に直列に接続された抵抗Ｒ１及び抵抗Ｒ２と、抵抗Ｒ１と抵抗Ｒ２との接続点に非反転入力端子が接続され、出力端子が制御部３に接続されているコンパレーターＵ１とで構成することができる。また、第二比較部８４は、スイッチ−負荷間電源ラインと接地端子との間に直列に接続された抵抗Ｒ３及び抵抗Ｒ４と、抵抗Ｒ３と抵抗Ｒ４との接続点に非反転入力端子が接続され、出力端子が制御部３に接続されているコンパレーターＵ２とで構成することができる。この場合には、閾値設定部８５は、制御部３からの指示に基づいて、第一比較部８３におけるコンパレーターＵ１の反転入力端子に入力される電圧と、第二比較部８４におけるコンパレーターＵ２の反転入力端子に入力される電圧とをそれぞれ生成するＤＡＣ（Ｄ／Ａコンバーター）で構成される。
【００２６】
通常モード時には、閾値設定部８５は、第一比較部８３においてスイッチ−スイッチ間電源ラインの電圧Ｖａと比較する閾値を、検出電圧と電源電圧との間の電圧に設定された第一閾値に設定する。これにより、通常モード時において、第一比較部８３は、スイッチ−スイッチ間電源ラインの電圧Ｖａと第一閾値とを比較し、第一閾値よりも電圧Ｖａが高い場合には、Ｈｉｇｈレベルの信号を、第一閾値よりも電圧Ｖａが低い場合には、Ｌｏｗレベルの信号をそれぞれ制御部３に出力する。図６を参照すると、通常モード時において、スイッチ−スイッチ間電源ラインの電圧Ｖａは、第一カバー４０が閉じていると電源電圧である２４Ｖに、第一カバー４０が開いていると検出電圧である３．３Ｖになる。従って、制御部３は、通常モード時において、第一比較部８３からＨｉｇｈレベルの信号が入力されると、第一カバー４０が閉じていると検出し、第一比較部８３からＬｏｗレベルの信号が入力されると、第一カバー４０が開いていると検出する。
【００２７】
スリープモード時には、閾値設定部８５は、第一比較部８３においてスイッチ−スイッチ間電源ラインの電圧Ｖａと比較する閾値を、０Ｖと検出電圧との間の電圧に設定された第二閾値に設定する。これにより、スリープモード時において、第一比較部８３は、スイッチ−スイッチ間電源ラインの電圧Ｖａと第二閾値とを比較し、第二閾値よりも電圧Ｖａが高い場合には、Ｈｉｇｈレベルの信号を、第二閾値よりも電圧Ｖａが低い場合には、Ｌｏｗレベルの信号をそれぞれ制御部３に出力する。図６を参照すると、スリープモード時において、スイッチ−スイッチ間電源ラインの電圧Ｖａは、第一カバー４０が閉じていると０Ｖ（スリープモード時の電源電圧）に、第一カバー４０が開いていると検出電圧である３．３Ｖになる。従って、制御部３は、スリープモード時において、第一比較部８３からＬｏｗレベルの信号が入力されると、第一カバー４０が閉じていると検出し、第一比較部８３からＨｉｇｈレベルの信号が入力されると、第一カバー４０が開いていると検出する。
【００２８】
通常モード時であるか、スリープモード時であるかに拘わらず、ジャム検出部７１によって記録紙Ｐのジャムが検出されないジャム非検出時には、閾値設定部８５は、第二比較部８４においてスイッチ−負荷間電源ラインの電圧Ｖｂと比較する閾値を、０Ｖと検出電圧との間の電圧に設定された第二閾値に設定する。これにより、ジャム非検出時において、第二比較部８４は、スイッチ−負荷間電源ラインの電圧Ｖｂと第二閾値とを比較し、第二閾値よりも電圧Ｖｂが高い場合には、Ｈｉｇｈレベルの信号を、第二閾値よりも電圧Ｖｂが低い場合には、Ｌｏｗレベルの信号をそれぞれ制御部３に出力する。図６を参照すると、通常モード時において、スイッチ−負荷間電源ラインの電圧Ｖｂは、第二カバー４１が開いていると第一カバー４０の開閉に拘わらず０Ｖに、第二カバー４１が閉じていると第一カバー４０の開閉に応じて電源電圧である２４Ｖもしくは検出電圧である３．３Ｖになる。従って、制御部３は、通常モード時において、第二比較部８４からＨｉｇｈレベルの信号が入力されると、第二カバー４１が閉じていると検出し、第二比較部８４からＬｏｗレベルの信号が入力されると、第二カバー４１が開いていると検出する。
【００２９】
なお、スリープモード時において、スイッチ−負荷間電源ラインの電圧Ｖｂは、図６に示すように、第一カバー４０が閉じていると第二カバー４１の開閉に拘わらず０Ｖに、第一カバー４０が開き、且つ第二カバー４１が閉じていると検出電圧である３．３Ｖに、第一カバー４０が開き、且つ第二カバー４１が開いていると０Ｖになる。従って、制御部３は、スリープモード時において、第一比較部８３からの入力がＨｉｇｈレベルの信号で第一カバー４０が開いている場合にのみ、第二比較部８４からＨｉｇｈレベルの信号が入力されると、第二カバー４１が閉じていると検出し、第二比較部８４からＬｏｗレベルの信号が入力されると、第二カバー４１が開いていると検出する。
【００３０】
負荷９０がモーターである場合、ジャム検出部７１によって記録紙Ｐのジャムが検出されたジャム検出時には、記録紙Ｐのジャム処理によってモーターが回転され、負荷９０で起電力が発生し、スイッチ−負荷間電源ラインの電圧Ｖｂが第二閾値を超えてしまう虞がある。すなわち、第二閾値は、０Ｖと検出電圧との間の、負荷９０が動作しない低い電圧である。従って、第二比較部８４において、スイッチ−負荷間電源ラインの電圧Ｖｂと第二閾値とを比較すると、記録紙搬送路３３を開放する第二カバー４１を開け、記録紙Ｐのジャム処理を行った場合、負荷９０で発生する起電力によって、第二比較部８４からＨｉｇｈレベルの信号が制御部３に入力され、第二カバー４１が閉じられたと誤検出される虞がある。
【００３１】
そこで、本実施の形態では、ジャム検出時には、制御部３は、第一カバーロック部８１によって第一カバー４０を閉状態にロックさせると共に、閾値設定部８５は、第二比較部８４においてスイッチ−負荷間電源ラインの電圧Ｖｂと比較する閾値を、０Ｖと電源電圧との間の電圧で、且つジャム処理時に負荷９０で発生が懸念される起電力の電圧以上の第三閾値に設定する。これにより、ジャム検出時において、第二比較部８４は、スイッチ−負荷間電源ラインの電圧Ｖｂと第三閾値とを比較し、第三閾値よりも電圧Ｖｂが高い場合には、Ｈｉｇｈレベルの信号を、第三閾値よりも電圧Ｖａが低い場合には、Ｌｏｗレベルの信号をそれぞれ制御部３に出力する。図６を参照すると、ジャム検出時において、第一カバー４０が閉状態でロックされるため、スイッチ−負荷間電源ラインの電圧Ｖｂは、第二カバー４１が開いていると０Ｖに、第二カバー４１が閉じていると電源電圧である２４Ｖになる。従って、制御部３は、通常モード時において、第二比較部８４からＨｉｇｈレベルの信号が入力されると、第二カバー４１が閉じていると検出し、第二比較部８４からＬｏｗレベルの信号が入力されると、第二カバー４１が開いていると検出する。なお、第三閾値は、負荷９０で発生が懸念される起電力の電圧以上に設定されているため、ジャム処理時に負荷９０で発生する起電力によって、第二比較部８４からＨｉｇｈレベルの信号が制御部３に入力されることなく、第二カバー４１が閉じられたと誤検出されることを防止することができる。また、第三閾値と、第一閾値とを共通にしても良い。
【００３２】
なお、本実施の形態では、上部を開閉する第一カバー４０に第一インターロックスイッチ８０を設けたが、第一インターロックスイッチ８０を設けるカバーには制限がなく、スリープモード時でも開閉を確実に検出したいカバーに第一インターロックスイッチ８０を設けると良い。
【００３３】
以上説明したように、本実施の形態によれば、第一カバー４０の開閉に応じてオンオフされ、オン時にはスイッチ−スイッチ間電源ラインと電源電圧とを接続すると共に、オフにはスイッチ−スイッチ間電源ラインと電源電圧よりも低く負荷９０が動作しない検出電圧とを接続する第一インターロックスイッチ８０と、第二カバー４１の開閉に応じて、スイッチ−負荷間電源ラインをオンオフする第二インターロックスイッチ８２と、スイッチ−スイッチ間電源ラインの電圧Ｖａと設定された閾値とを比較する第一比較部８３と、スイッチ−負荷間電源ラインの電圧Ｖｂと設定された閾値とを比較する第二比較部８４と、第一比較部８３及び第二比較部８４でそれぞれ用いられる閾値をそれぞれ設定する閾値設定部８５と、第一比較部８３及び第二比較部８４の比較結果に応じて第一カバー４０及び第二カバー４１のそれぞれの開閉を検出する制御部３とを備え、閾値設定部８５は、第一比較部８３で用いられる閾値を、通常モード時には検出電圧と電源電圧との間の第一閾値に、スリープモード時には０Ｖと検出電圧との間の第二閾値にそれぞれ設定すると共に、第二比較部８４で用いられる閾値を、ジャム非検出時には第二閾値に、ジャム検出時には、０Ｖと前記電源電圧の間で、且つジャム処理時に負荷９０で発生が懸念される起電力の電圧よりも高い第三閾値にそれぞれ設定するように構成されている。この構成により、電源ラインに直列に接続されている２個の第一インターロックスイッチ８０及び第二インターロックスイッチ８２のそれぞれのオンオフを誤りなく確実に検出することができ、第一カバー４０及び第二カバー４１のそれぞれの開閉を誤りなく確実にすることができるという効果を奏する。さらに、第三閾値は、負荷９０で発生が懸念される起電力の電圧以上に設定されているため、ジャム処理時に負荷９０で発生する起電力によって、第二比較部８４からＨｉｇｈレベルの信号が制御部３に入力されることなく、第二カバー４１が閉じられたと誤検出されることを防止することができる。
【００３４】
さらに、本実施の形態によれば、ジャム検出時に前記第一カバーを閉状態にロックする第一カバーロック部８１を備えている。この構成により、ジャム検出時に前記第一カバーが確実に閉状態になり、第二比較部８４で用いられる閾値を第三閾値に設定しても、確実に第二カバー４１の開閉を検出することができる。
【００３５】
なお、本発明が上記各実施の形態に限定されず、本発明の技術思想の範囲内において、各実施の形態は適宜変更され得ることは明らかである。
【符号の説明】
【００３６】
１  カラープリンター
２  表示部
３  制御部
４  操作部
１０ａ、１０ｂ、１０ｃ、１０ｄ  画像形成部
１１ａ、１１ｂ、１１ｃ、１１ｄ  感光体ドラム
１２ａ、１２ｂ、１２ｃ、１２ｄ  帯電装置
１３  露光ユニット
１４ａ、１４ｂ、１４ｃ、１４ｄ  現像装置
１５ａ、１５ｂ、１５ｃ、１５ｄ  一次転写ローラー
１６ａ、１６ｂ、１６ｃ、１６ｄ  クリーニング装置
１７  二次転写ローラー
１８  定着装置
２０  中間転写ベルト
３０  用紙カセット
３１  給紙ローラー
３２  レジストローラー
３３  記録紙搬送路
３４  排出ローラー
４０  第一カバー
４０ａ  開口
４１  第二カバー
５０ａ、５０ｂ、５０ｃ、５０ｄ  トナーコンテナ
６０  通信部
７０  記憶部
７１  ジャム検出部
８０  第一インターロックスイッチ
８１  第一カバーロック部
８１ａ  ロッド
８２  第二インターロックスイッチ
８３  第一比較部
８４  第二比較部
８５  閾値設定部
９０  負荷
【図１】
0006026452.tif 000002
【図２】
0006026452.tif 000003
【図３】
0006026452.tif 000004
【図４】
0006026452.tif 000005
【図５】
0006026452.tif 000006
【図６】
0006026452.tif 000007